(57)【要約】【課題】  特に側臥位において、尿を横漏れさせることなく吸収コア全体を利用して有効に吸収できる吸収性物品を提供する。【解決手段】  トップシート２とバックシート３との間に吸収コア４（Ａ，Ｂ）が介設された吸収性物品１において、上記吸収コア４には、幅方向の中央部Ｃ近傍から幅方向の後方若しくは前方の少なくとも一方の端縁４ｅに向けて延在する傾斜壁部４ｃが形成されて、この傾斜壁部４ｃの一部は、着用者の排尿ポイントＭを幅方向のほぼ真横に延ばした線ａと交わるように位置されている。【選択図】  図１
2005296148.tif 000002
【特許請求の範囲】
【請求項１】
トップシートとバックシートとの間に吸収コアが介設された吸収性物品において、
上記吸収コアには、幅方向の中央部近傍から幅方向の後方若しくは前方の少なくとも一方の端縁に向けて延在する傾斜壁部が形成されて、この傾斜壁部の一部は、着用者の排尿ポイントを幅方向のほぼ真横に延ばした線と交わるように位置されていることを特徴とする吸収性物品。
【請求項２】
上記吸収コアの長さ方向の線と傾斜壁部とが交わる傾斜角度は、１０〜３０度であることを特徴とする請求項１記載の吸収性物品。
【請求項３】
上記傾斜壁部は溝内の立壁面に形成されて、この溝内は、吸収コアの非存在域となっていることを特徴とする請求項１または２記載の吸収性物品。
【請求項４】
上記排尿ポイントは、吸収コアの非存在域に位置させていることを特徴とする請求項３記載の吸収性物品。
【発明の詳細な説明】
【技術分野】
【０００１】
本発明は、吸収性物品に関する。
【背景技術】
【０００２】
従来、吸収コアの長さ方向に排尿拡散通路を形成した吸収性物品がある（特許文献１参照）。
【０００３】
この吸収性物品は、座位状態において、排尿拡散通路に沿って排尿を長さ方向に拡散させながら、吸収コアに拡散吸収させるようにしたものである。
【特許文献１】特開２００３−７９６５４号公報
【発明の開示】
【発明が解決しようとする課題】
【０００４】
しかしながら、上記吸収性物品を使用して側臥位で排尿ポイントから勢いよく排尿した場合、重力によって排尿ポイントから下方に流れ落ちる尿は、排尿拡散通路を横切るようになるので、横漏れするおそれがあるという問題があった。
【０００５】
本発明は、上記問題を解消するためになされたもので、特に側臥位において、尿を横漏れさせることなく吸収コア全体を利用して有効に吸収できる吸収性物品を提供することを課題とするものである。
【課題を解決するための手段】
【０００６】
上記課題を解決するために、請求項１の発明は、トップシートとバックシートとの間に吸収コアが介設された吸収性物品において、
上記吸収コアには、幅方向の中央部近傍から幅方向の後方若しくは前方の少なくとも一方の端縁に向けて延在する傾斜壁部が形成されて、この傾斜壁部の一部は、着用者の排尿ポイントを幅方向のほぼ真横に延ばした線と交わるように位置されていることを特徴とするものである。
【０００７】
請求項２の発明は、請求項１記載の吸収性物品であって、上記吸収コアの長さ方向の線と傾斜壁部とが交わる傾斜角度は、１０〜３０度であることを特徴とするものである。
【０００８】
請求項３の発明は、請求項１または２記載の吸収性物品であって、上記傾斜壁部は溝内の立壁面に形成されて、この溝内は、吸収コアの非存在域となっていることを特徴とするものである。
【０００９】
請求項４の発明は、請求項３記載の吸収性物品であって、上記排尿ポイントは、吸収コアの非存在域に位置させていることを特徴とするものである。
【発明の効果】
【００１０】
請求項１の発明によれば、吸収コアに形成した傾斜壁部は、排尿ポイントを幅方向のほぼ真横に延ばした線と交わるように位置させたから、側臥位で排尿ポイントから勢いよく排尿した場合、重力によって排尿ポイントから下方に流れ落ちる尿は、傾斜壁部で排尿ポイントの後方若しくは前方に誘導されながら吸収コアに拡散吸収されるようになるので、尿を横漏れさせることなく吸収コア全体を利用して有効に吸収できるようになる。
【００１１】
請求項２の発明によれば、吸収コアの長さ方向の線と傾斜壁部とが交わる傾斜角度を１０〜３０度としたから、排尿ポイントから勢いよく傾斜壁部に流れ落ちた尿は、緩やかな傾斜に沿って後方若しくは前方に誘導されるので、尿の勢いが穏やかになって拡散吸収されやすくなる。
【００１２】
請求項３の発明によれば、傾斜壁部を溝内の立壁面に形成したから、溝が尿の誘導通路となるので、溝で尿がスムーズに後方若しくは前方に誘導されるようになる。また、溝内は、吸収コアの非存在域であるので、溝が深いほど傾斜壁部の立壁面が高くなって尿を捉えやすくなる。
【００１３】
請求項４の発明によれば、排尿ポイントを吸収コアの非存在域に位置させることで、排尿ポイントから勢いよく流れ落ちる尿を溝（非存在域）内で一時的に溜めながら、傾斜壁部に沿って徐々に拡散吸収させることができる。
【発明を実施するための最良の形態】
【００１４】
以下、本発明を実施するための最良の形態について、図面を参照しながら詳細に説明する。
【００１５】
図６は、吸収性物品１の排尿ポイントＭ，Ｗを説明するための正面図であり、吸収性物品（尿取りパッド）１を長さ（前後）方向に７分割した場合、男性用排尿ポイントＭは前から２番目付近に有り、女性用排尿ポイントＷは前から４番目付近に有るものとしている。
【００１６】
図１は、吸収性物品１であり、（ａ）は平面図、同（ｂ）は（ａ）のＡ−Ａ線断面図である。
【００１７】
吸収性物品１は、透液性のトップシート２と不透液性のバックシート３との間に吸収コア４（Ａ，Ｂ）が介設されている。
【００１８】
図２に詳細に示すように、上記吸収コア４（Ａ，Ｂ）の内、下層の吸収コア４Ａは、平面視で砂時計型であり、上層の吸収コア４Ｂは、平面視で長方形型であって、吸収コア４Ａと４Ｂは、長さはほぼ同じに設定されているが、吸収コア４Ｂの幅は、吸収コア４Ａの脚用凹部４ａの幅とほぼ同じに設定されている。
【００１９】
上記吸収コア４Ａは、透液性の不織布５で包み込まれているとともに、上記吸収コア４Ｂは、ティッシュ６で包み込まれている。また、吸収コア４Ｂの下面には、不織布７が接合されている。
【００２０】
上記上層の吸収コア４Ｂの上面両側位置には立ち上がりフラップ８がそれぞれ配置され、各立ち上がりフラップ８は、基端部８ａをトップシート２とバックシート４とに跨って接合するとともに、立ち上がり端部８ｂには、長さ方向に伸張状態で立ち上がり用弾性部材９が添設されている。
【００２１】
上記上層の吸収コア４Ｂの前側には、逆向きＵ字形状に湾曲した溝４ｂが形成され、この溝４ｂには、外側の傾斜壁部４ｃと内側の傾斜壁部４ｄとが形成されている。なお、吸収コア４Ｂは、外側の傾斜壁部４ｃを構成するコア材４Ｃと内側の傾斜壁部４ｄを構成するコア材４Ｄとを用いて、これらコア材４Ｃ，４Ｄを溝４ｂの幅に相当する間隔を隔てて不織布７に接合したものである。
【００２２】
上記傾斜壁部４ｃ，４ｄは、吸収コア４Ｂの幅方向の中央部Ｃ近傍から幅方向の後方の端縁４ｅに向けて延在するように形成されて、外側の傾斜壁部４ｃの一部は、男性用排尿ポイントＭを幅方向のほぼ真横に延ばした線ａと交わるように位置されている。
【００２３】
また、吸収コア４Ｂの長さ（前後）方向の線ｂと外側の傾斜壁部４ｃの接線ｃとが交わる傾斜角度αは、１０〜３０度に設定されている。なお、図２（ａ）では、約２０度に設定されている。
【００２４】
さらに、外側の傾斜壁部４ｃは溝４ｂ内の立壁面に形成されて、この溝４ｂ内は、吸収コア４Ｂの非存在域（空間）となっている。
【００２５】
さらにまた、上記排尿ポイントＭは、吸収コア４Ｂの非存在域（空間）に位置させている。
【００２６】
上記吸収コア４（Ａ，Ｂ）を有する吸収性物品１であれば、上層の吸収コア４Ｂに形成した外側の傾斜壁部４ｃは、排尿ポイントＭを幅方向のほぼ真横に延ばした線ａと交わるように位置させたから、側臥位で排尿ポイントＭから勢いよく排尿した場合、重力によって排尿ポイントＭから下方に流れ落ちる尿は、外側の傾斜壁部４ｃで排尿ポイントＭの後方に誘導されながら吸収コア４Ｂや４Ａに拡散吸収されるようになるので、尿を横漏れさせることなく吸収コア４Ａ，４Ｂ全体を利用して有効に吸収できるようになる。
【００２７】
また、吸収コア４Ｂの長さ方向の線ｂと外側の傾斜壁部４ｃの接線ｃとが交わる傾斜角度αを１０〜３０度としたから、排尿ポイントＭから勢いよく外側の傾斜壁部４ｃに流れ落ちた尿は、緩やかな傾斜に沿って後方に誘導されるので、尿の勢いが穏やかになって拡散吸収されやすくなる。
【００２８】
さらに、外側の傾斜壁部４ｃを溝４ｂ内の立壁面に形成したから、溝４ｂが尿の誘導通路となるので、溝４ｂで尿がスムーズに後方に誘導されるようになる。また、溝４ｂ内は、吸収コア４Ｂの非存在域（空間）であるので、溝４ｂが深いほど外側の傾斜壁部４ｃの立壁面が高くなって尿を捉えやすくなる。
【００２９】
さらにまた、排尿ポイントＭを吸収コア４Ｂの非存在域（空間）に位置させることで、排尿ポイントＭから勢いよく流れ落ちる尿を溝４ｂ内で一時的に溜めながら、外側の傾斜壁部４ｃに沿って徐々に拡散吸収させることができる。
【００３０】
上記吸収コア４Ｂは、２つのコア材４Ｃ，４Ｄを不織布７に接合して溝４ｂを形成したものであったが、図３に示すように、吸収コア４Ｂの幅方向の中央部Ｃ近傍の溝４ｂ内でコア材４Ｃ，４Ｄを連結部４ｆにより一体的に連結したような吸収コア４Ｂであっても良い。
【００３１】
また、溝４ｂは、図４に示すように、吸収コア４Ｂの表面から一定深さｔで掘り込んだ溝４ｂであっても良い。
【００３２】
さらに、溝４ｂの内側の傾斜壁部４ｄは必ずしも必要ではなく、図５に示すように、外側の傾斜壁部４ｃだけを残して、外側の傾斜壁部４ｃよりも内側部分全体を溝底４ｇと同じ深さとなるようにしても良い。
【００３３】
上記実施形態は、上記吸収コア４（Ａ，Ｂ）を下層の吸収コア４Ａと上層の吸収コア４Ｂとに分けたが、図７（ａ）のように、下層と上層とを一体化してなる砂時計型の吸収コア４に堀り込んだ溝４ｂを形成しても良い。なお、上記溝４ｂは、同図のように、三日月状の溝４ｂであっても良い。
【００３４】
上記実施形態は、排尿ポイントＭの男性用であったが、図７（ｂ）のように、吸収コア４の後側に溝４ｂを形成して、この溝４ｂに外側の傾斜壁部４ｃと内側の傾斜壁部４ｄとを形成すれば、排尿ポイントＷの女性用とすることもできる。この場合には、外側の傾斜壁部４ｃは、吸収コア４の幅方向の中央部Ｃ近傍から幅方向の前方の端縁４ｅに向けて延在するように形成して、外側の傾斜壁部４ｃの一部は、女性用の排尿ポイントＷを幅方向のほぼ真横に延ばした線ａと交わるように位置させている。
【００３５】
また、図７（ｃ）のように、排尿ポイントＭの男性用と排尿ポイントＷの女性用とを兼用できるように、溝４ｂを吸収コア４の前側と後側とに形成することもできる。
【００３６】
上記実施形態は、溝４ｂに傾斜壁部４ｃを形成したものであったが、図８（ａ）のように、男性用排尿ポイントＭに対応させて、吸収コア４の幅方向の中央部Ｃ近傍から幅方向の後方の端縁４ｅに向けて延在するように切り込んだ切り込み部４ｈに傾斜壁部４ｃを形成することもできる。
【００３７】
また、図８（ｂ）のように、女性用排尿ポイントＷに対応させて、吸収コア４の幅方向の中央部Ｃ近傍から幅方向の前方の端縁４ｅに向けて延在するように切り込んだ切り込み部４ｈに傾斜壁部４ｃを形成することができ、さらに、図８（ｃ）のように、排尿ポイントＭの男性用と排尿ポイントＷの女性用とを兼用できるように、切り込み部４ｈを吸収コア４の前側と後側とに形成することもできる。
【００３８】
上記各実施形態は、各図の態様のみに限定されるものではなく、各図の態様を適宜に組み合わせて使用できることは言うまでも無い。
【００３９】
上記実施形態では、吸収性物品１として、尿取りパッドのみを例示したが、後背側の両側部に取付けたファスニングテープを前腹側に取付けて着用する、いわゆるテープ型の使い捨ておむつ、胴周りや脚周り等に伸縮性を付与したパンツ型の外装部材の内面に尿取りパッドを貼り付けた、いわゆるパンツ型の使い捨ておむつ、生理用ナプキン、軽度失禁用パッド等の吸収性物品にも適用できることは言うまでもない。
【００４０】
上記各部材の構成材料等を簡単に説明する。
【００４１】
〔トップシート２〕
着用者からの体液（排泄物）を素早く補足し、吸収コアへ移行させる必要があるため、透液性のシート材料が好ましい。より好ましくは、親水性繊維（セルロース、レーヨン、コットン等）を用いた不織布材料、あるいは疎水性繊維（ポリプロピレン、ポリエチレン、ポリエステル、ポリアミド、ナイロン等）の表面を界面活性剤により処理し透液性とした不織布材料、あるいは開孔を有するプラスチックフィルム等、通常の吸収性物品に使われる透液性のシート材料が用いられる。
【００４２】
〔バックシート３〕
吸収体で吸収した尿等（排泄物）が外側にしみ出すのを防ぐため、撥水性のシート材料若しくは不透液性のシート材料が好ましい。より好ましくは、通常の吸収性物品に用いられる撥水性不織布材料（スパンボンド不織布、メルトブロー不織布、ＳＭＳ不織布等）やプラスチックフィルム（通気性であっても非通気性であっても良いが、より快適な態様として通気性プラスチックが好ましい）やその複合材料が用いられる。
【００４３】
〔吸収コア４（Ａ，Ｂ）〕
粉砕したパルプ繊維やセルロース繊維等の親水性繊維集合層に粒状の高分子吸収体を混合したものであり、その型崩れやポリマー粒子の脱落を防止するため、全体がティッシュペーパーや不織布に被覆、接合することが好ましい。
【００４４】
〔不織布５，７〕
スパンレース、ニードルパンチ、サーマルボンド、スパンボンド、ケミカルボンド、エアースルー、メルトブローの各製法およびその組み合わせにより製造されたものを使用することができる。
【００４５】
〔立ち上がりフラップ８〕
主に撥水性若しくは不透液性のシート状材料が好ましい。より好ましくは、通常の吸収性物品に用いられる撥水性不織布材料（スパンボンド不織布、メルトブロー不織布、ＳＭＳ不織布等）やプラスチックフィルム（通気性であっても非通気性であっても良い）が、より快適な態様として通気性プラスチックが好ましい）やその複合材料が用いられる。
【００４６】
〔弾性部材９〕
通常の吸収性物品に用いられる弾性部材（ポリウレタン糸、ポリウレタンフィルム、天然ゴム等）が用いられる。
【００４７】
〔各シート材料の接合〕
上記各シート材料の接合は、ホットメルト接着剤、熱接合、超音波シール等の方法が適宜用いられる。ホットメルト接着剤については、ゴム系、ポリオレフィン系、酢酸ビニル系等のホットメルト接着剤から適切に選定して、直接的なコーター塗布、間接的なスパイラル塗布、メルトブロー（カーテンスプレー）塗布、ビード塗布等の方法で塗布する。
【図面の簡単な説明】
【００４８】
【図１】吸収性物品であり、（ａ）は平面図、（ｂ）は（ａ）のＡ−Ａ線断面図である。
【図２】吸収コアであり、（ａ）は平面図、（ｂ）は中心断面図、（ｃ）は底面図である。
【図３】変形例の吸収コアの正面図である。
【図４】変形例の吸収コアであり、（ａ）は平面図、（ｂ）は中心断面図である。
【図５】変形例の吸収コアであり、（ａ）は平面図、（ｂ）は中心断面図である。
【図６】吸収性物品の排尿ポイントを説明するための正面図である。
【図７】（ａ）〜（ｃ）は、変形例の吸収コアの平面図である。
【図８】（ａ）〜（ｃ）は、変形例の吸収コアの平面図である。
【符号の説明】
【００４９】
１      吸収性物品
２      トップシート
３      バックシート
４（Ａ，Ｂ）  吸収コア
４ｂ  溝
４ｃ  傾斜壁部
Ｃ    中央部
Ｍ    男性用排尿ポイント
Ｗ    女性用排尿ポイント
ａ    線
ｃ    接線
α    傾斜角度
【図１】
2005296148.tif 000003
【図２】
2005296148.tif 000004
【図３】
2005296148.tif 000005
【図４】
2005296148.tif 000006
【図５】
2005296148.tif 000007
【図６】
2005296148.tif 000008
【図７】
2005296148.tif 000009
【図８】
2005296148.tif 000010